(57)【要約】【課題】第一棟と第二棟の間を屋根の下を通って行き来することができるようにする。【解決手段】複数階建ての第一棟１０及び第二棟２０が互いに離れて並列した状態で建築され、屋根パネル３０が、第一棟１０及び第二棟２０の二階の床の設置高さにおいて、第一棟１０と第二棟２０の互いに対向する外壁１０ａ，２０ａ間に架設されている。【選択図】図５
2014020001.tif 000002
【特許請求の範囲】
【請求項１】
複数階建ての第一棟及び第二棟が互いに離れて並列した状態で建築され、
屋根パネルが、前記第一棟及び前記第二棟の二階の床の設置高さにおいて、前記第一棟の外壁とそれに対向する前記第二棟の外壁との間に架設されている、
ことを特徴とする建物。
【請求項２】
前記第一棟及び前記第二棟が複数の矩形状パネルを組み付けるパネル工法によって建築されたものであり、
前記屋根パネルの一端面が前記第一棟の二階の床パネルの端面に突き合わせられて、前記屋根パネルの一端部及び前記第一棟の前記床パネルの端部が前記第一棟の前記外壁を構成する一階の壁パネルと二階の壁パネルとの間に挟持され、
前記屋根パネルの他端面が前記第二棟の二階の床パネルの端面に突き合わせられて、前記屋根パネルの他端部及び前記第二棟の前記床パネルの端部が前記第二棟の前記外壁を構成する一階の壁パネルと二階の壁パネルとの間に挟持されている、
ことを特徴とする請求項１に記載の建物。
【請求項３】
前記屋根パネルの一端面と前記第一棟の前記床パネルの端面が第一ボルト及び第一ナットによって互いに締結され、
前記屋根パネルの他端面と前記第二棟の前記床パネルの端面が第二ボルト及び第二ナットによって互いに締結されている、
ことを特徴とする請求項２に記載の建物。
【請求項４】
前記屋根パネルが、矩形枠状に組まれた框材と、前記框材の枠体の一方の面に貼設された面材と、を有した片面パネルであり、
前記第一棟の前記床パネルが、矩形枠状に組まれた框材と、前記框材の枠体の一方の面に貼設された面材と、を有した片面パネルであり、
前記第二棟の前記床パネルが、矩形枠状に組まれた框材と、前記框材の枠体の一方の面に貼設された面材と、を有した片面パネルであり、
前記第一ボルトが互いに突き合わせられた前記屋根パネルの前記框材及び前記第一棟の前記床パネルの前記框材を貫通し、前記第一ボルトが前記第一ナットに螺合し、
前記第二ボルトが互いに突き合わせられた前記屋根パネルの前記框材及び前記第二棟の前記床パネルの前記框材を貫通し、前記第二ボルトが前記第二ナットに螺合する、
ことを特徴とする請求項３に記載の建物。
【請求項５】
前記第一棟及び前記第二棟の前記矩形状パネルは長さ及び幅が基準寸法の整数倍であり、
前記第一棟と前記第二棟の間隔が前記基準寸法の整数倍であり、
前記屋根パネルは幅が前記基準寸法の整数倍である、
ことを特徴とする請求項２から４の何れか一項に記載の建物。
【発明の詳細な説明】
【技術分野】
【０００１】
本発明は、並列された第一棟及び第二棟を備える建物に関する。
【背景技術】
【０００２】
特許文献１には、二戸の建物を並列させてなる連続住宅が開示されている（図１、図３、図１４参照）。これら建物の間に二枚の界壁が立設され、これら界壁が互いに近接するとともに、建物の外壁に対してほぼ平行に設けられている。一方の建物の外壁から屋根が延出し、その屋根の端部が一方の界壁の上端に連結され、他方の建物の外壁からも別の屋根が延出し、その別の屋根の端部が他方の界壁の上端に連結されている。
【先行技術文献】
【特許文献】
【０００３】
【特許文献１】特開２００７−６３９１７号公報
【発明の概要】
【発明が解決しようとする課題】
【０００４】
ところで、特許文献１に記載の技術は連続住宅に関するものであり、一方の建物と他方の建物が別戸建てである。従って、一方の建物から他方の建物へ屋根の下を通って移動することが考慮されていない。つまり、建物と建物の間に界壁があるから、一方の建物から屋根の下を通って他方の建物へ移動することができない。
また、屋根の下を通って両建物間を移動することができるように、界壁を省略すると、屋根が片持ち梁状に支持されてしまうため、屋根が適切に支えることができない。
そこで、本発明の目的は、第一棟と第二棟の間を屋根の下を通って行き来することができるようにすることである。
【課題を解決するための手段】
【０００５】
上記課題を解決するための請求項１に係る発明は、複数階建ての第一棟１０及び第二棟２０が互いに離れて並列した状態で建築され、屋根パネル３０が、前記第一棟１０及び前記第二棟２０の二階の床の設置高さにおいて、前記第一棟１０の外壁１０ａとそれに対向する前記第二棟２０の外壁２０ａとの間に架設されていることを特徴とする建物である。
【０００６】
請求項１に係る発明によれば、屋根パネル３０が第一棟１０と第二棟２０の互いに対向する外壁１０ａ，２０ａ間に架設されているから、屋根パネル３０が両持ち梁状に支持される。これにより、屋根パネル３０を強固に支持することができる。そのため、これら外壁１０ａ，２０ａ間に立設された壁によって屋根パネル３０を支持する必要が無く、その壁を省略することができる。よって、屋根パネル３０の下のスペースを広くとることができ、屋根パネル３０の下を通って第一棟１０と第二棟２０の間を移動することができる。
【０００７】
請求項２に係る発明は、前記第一棟１０及び前記第二棟２０が複数の矩形状パネルを組み付けるパネル工法によって建築されたものであり、前記屋根パネル３０の一端面が前記第一棟１０の二階の床パネル１３の端面に突き合わせられて、前記屋根パネル３０の一端部及び前記第一棟１０の前記床パネル１３の端部が前記第一棟１０の前記外壁１０ａを構成する一階の壁パネル１１と二階の壁パネル１５との間に挟持され、前記屋根パネル３０の他端面が前記第二棟２０の二階の床パネル２３の端面に突き合わせられて、前記屋根パネル３０の他端部及び前記第二棟２０の前記床パネル２３の端部が前記第二棟２０の前記外壁２０ａを構成する一階の壁パネル２１と二階の壁パネル２５との間に挟持されていることを特徴とする請求項１に記載の建物である。
【０００８】
請求項２に係る発明によれば、第一棟１０の二階の床パネル１３の端面が屋根パネル３０の一端面に突き合わせられ、その突き合わせられた部分が第一棟１０の一階の壁パネル１１と二階の壁パネル１５の間に挟持されるから、屋根パネル３０が第一棟１０の外壁１０ａに強固に連結される。同様に、屋根パネル３０が第二棟２０の外壁２０ａに強固に連結される。
【０００９】
請求項３に係る発明は、前記屋根パネル３０の一端面と前記第一棟１０の前記床パネル１３の端面が第一ボルト１６及び第一ナット１７によって互いに締結され、前記屋根パネル３０の他端面と前記第二棟２０の前記床パネル２３の端面が第二ボルト２６及び第二ナット２７によって互いに締結されていることを特徴とする請求項２に記載の建物である。
【００１０】
請求項３に係る発明によれば、屋根パネル３０の一端面と第一棟１０の床パネル１３の端面が第一ボルト１６及び第一ナット１７によって互いに締結されているから、屋根パネル３０が第一棟１０に強固に連結される。同様に、屋根パネル３０が第二棟２０に強固に連結される。
【００１１】
請求項４に係る発明は、前記屋根パネル３０が、矩形枠状に組まれた框材３１と、前記框材３１の枠体の一方の面に貼設された面材３２と、を有した片面パネルであり、前記第一棟１０の前記床パネル１３が、矩形枠状に組まれた框材１３ａと、前記框材１３ａの枠体の一方の面に貼設された面材１３ｂと、を有した片面パネルであり、前記第二棟２０の前記床パネル２３が、矩形枠状に組まれた框材２３ａと、前記框材２３ａの枠体の一方の面に貼設された面材２３ｂと、を有した片面パネルであり、前記第一ボルト１６が互いに突き合わせられた前記屋根パネル３０の前記框材３１及び前記第一棟１０の前記床パネル１３の前記框材１３ａを貫通し、前記第一ボルト１６が前記第一ナット１７に螺合し、前記第二ボルト２６が互いに突き合わせられた前記屋根パネル３０の前記框材３１及び前記第二棟２０の前記床パネル２３の前記框材２３ａを貫通し、前記第二ボルト２６が前記第二ナット２７に螺合することを特徴とする請求項３に記載の建物である。
【００１２】
請求項４に係る発明によれば、第一棟１０や第二棟２０の二階の床パネル１３，２３及び屋根パネル３０が片面パネルであるから、第一棟１０や第二棟２０の二階の床パネル１３，２３の框材と屋根パネル３０の框材をボルト及びナットによって簡単に締結することができる。また、屋根パネル３０が第一棟１０及び第二棟２０に強固に連結される。
【００１３】
請求項５に係る発明は、前記第一棟１０及び前記第二棟２０の前記矩形状パネルは長さ及び幅が基準寸法の整数倍であり、前記第一棟１０と前記第二棟２０の間隔が前記基準寸法の整数倍であり、前記屋根パネル３０は幅が前記基準寸法の整数倍であることを特徴とする請求項２から４の何れか一項に記載の建物である。
【００１４】
請求項５に係る発明によれば、建物の奥行きや幅を基準寸法の整数倍に設計することができ、建物の設計を容易に行うことができる。
【発明の効果】
【００１５】
本発明によれば、屋根パネルを強固に支持することができ、第一棟の外壁と第二棟の外壁の間に壁を設けなくても済み、屋根パネルの下を通って第一棟と第二棟の間を移動することができる。
【図面の簡単な説明】
【００１６】
【図１】建物の一階の平面図である。
【図２】建物の二階の平面図である。
【図３】建物の二階のロフトの平面図である。
【図４】IV−IV断面図である。
【図５】V−V断面図である。
【図６】VI−VI断面図である。
【図７】VII−VII断面図である。
【図８】建物の正面図である。
【図９】建物の背面図である。
【図１０】X−X断面図である。
【発明を実施するための形態】
【００１７】
以下に、本発明を実施するための形態について図面を用いて説明する。但し、以下に述べる実施形態には、本発明を実施するために技術的に好ましい種々の限定が付されているので、本発明の技術的範囲を以下の実施形態及び図示例に限定するものではない。
【００１８】
図１は建物１の一階の平面図であり、図２は建物１の二階の平面図であり、図３は建物１の二階ロフトの平面図である。
【００１９】
図１〜図３に示すように、建物１は、一戸建ての建物である。建物１は、二階建ての第一棟１０及び第二棟２０等からなる。第一棟１０及び第二棟２０は、パネル工法によって建築された躯体である。パネル工法は、壁、床及び屋根等といった建物の構成要素を予め工場にて矩形状のパネルにしておき、施工現場でこれらのパネルを組み立てて、第一棟１０及び第二棟２０を構築する工法である。パネルとは、図示はしないが、縦横の框材が矩形枠状に組み立てられるとともに、矩形枠の内部に補助桟材が縦横に組み付けられて枠体が構成され、この枠体の両面もしくは片面に、面材が貼設されたものであり、内部中空な構造となっている。パネルの内部中空部分には、グラスウールやロックウール等の断熱材が装填されている。第一棟１０及び第二棟２０に用いられるパネルの長さは基準寸法の整数倍であり、それらパネルの幅は基準寸法の整数倍である。ここで、基準寸法とは例えば４５５ｍｍであり、９１０ｍｍを１Ｍとすると、０．５Ｍが基準寸法である（Ｍは「モジュール」と読む）。
【００２０】
第一棟１０及び第二棟２０に用いられるパネルの長さや幅が基準寸法の整数倍であるから、第一棟１０及び第二棟２０の設計を容易にすることができる。第一棟１０は平面視において長方形に形作られ、第一棟１０の奥行き方向の長さが第一棟１０の幅方向の長さよりも長い。第二棟２０も同様である。なお、第一棟１０及び第二棟２０が平面視において正方形に形作られてもよい。
【００２１】
第一棟１０及び第二棟２０がこれらの間に間隔をおいて幅方向に並列され、第一棟１０の第二棟２０側の外壁１０ａと第二棟２０の第一棟１０側の外壁２０ａとが互いに対向するとともに、互いに平行である。平面視において、第一棟１０の幅方向と第二棟２０の幅方向が互いに平行であり、第一棟１０及び第二棟２０の幅方向が第一棟１０と第二棟２０の並列方向に平行であり、第一棟１０及び第二棟２０の奥行き方向が第一棟１０及び第二棟２０の幅方向に直交する。第一棟１０と第二棟２０の間隔は基準寸法の整数倍である。具体的な数値の一例を挙げると、第一棟１０と第二棟２０の間隔は２Ｍである。
【００２２】
第一棟１０及び第二棟２０が複数のパネルを組み合わせて建築されたものであるから、第一棟１０及び第二棟２０の幅及び奥行きが基準寸法の整数倍である。例えば、図２に示すように、第一棟１０の幅が基準寸法の８倍であって４Ｍであり、第一棟１０の奥行きが基準寸法の２７倍であって１３．５Ｍであり、第二棟２０の幅が基準寸法の８倍であって４Ｍであり、第二棟２０の奥行きが基準寸法の３４倍であって１７Ｍである。ここで挙げた数値は一例であり、第一棟１０及び第二棟２０の幅及び奥行きを適宜変更してもよい（例えば、第一棟１０の幅と第二棟２０の幅が等しくてもよいし、異なっていてもよい。また、第一棟１０の奥行きと第二棟２０の奥行きが等しくてもよいし、異なっていてもよい。）。
【００２３】
また、第一棟１０が第二棟２０に対して手前側にずれるようにして、第一棟１０及び第二棟２０が雁行配置されている。そのため、第一棟１０の正面側の外壁は第二棟２０の正面側の外壁よりも手前側に配置され、第二棟２０の背面側の外壁は第一棟１０の背面側の外壁よりも奥側に配置されている。具体的には、第一棟１０の正面側の外壁が第二棟２０の正面側の外壁から基準寸法の整数倍（例えば、図２では１０倍）だけ手前に配置されている。
【００２４】
図４は、図１及び図２に図示のIV−IVに沿った面を矢印方向へ向かって見て示した断面図である。図４に示すように、第一棟１０と第二棟２０の間には屋根パネル３０が設けられている。屋根パネル３０の幅方向の一端部が第一棟１０の第二棟２０側の外壁１０ａに接合され、屋根パネル３０の幅方向の他端部が第二棟２０の第一棟１０側の外壁２０ａに接合され、屋根パネル３０が外壁１０ａと外壁２０ａの間に架け渡されている。屋根パネル３０が設置される高さは、第一棟１０及び第二棟２０の二階の床が設置される高さである。
【００２５】
図５及び図６は、屋根パネル３０と第一棟１０の接合構造及び屋根パネル３０と第二棟２０の接合構造を示した断面図である。図５は図２に図示のV−Vに沿った面を矢印方向へ向かって見て示した断面図であり、図６は図２に図示のVI−VIに沿った面を矢印方向へ向かって見て示した断面図である。
【００２６】
図５及び図６に示すように、屋根パネル３０は矩形状の片面パネルである。つまり、屋根パネル３０は框材３１、面材３２及び桟材（図示略）を有し、框材３１が矩形枠状に組まれ、その枠体の片面に面材３２が貼設され、その枠体のもう一方の面に面材が貼設されず、その枠体の内側に桟材が取り付けられている。面材３２が貼設された面が上に向けられている。屋根パネル３０の幅は基準寸法の整数倍である。具体的な数値の一例を挙げると、屋根パネル３０の幅は２Ｍである。
【００２７】
第一棟１０の一階の壁パネル１１（第二棟２０側の壁パネル１１）の上端には、梁１２が設けられている。二階の床パネル１３が梁１２の上や一階の他の壁パネルの上に敷き詰められ、床パネル１３の端部が梁１２の上に配置され、床パネル１３の端部の上に二階の壁パネル１５が立設されている。壁パネル１１、梁１２、床パネル１３及び壁パネル１５は接着剤等によって接合されている。床パネル１３が片面パネルであり、床パネル１３の框材１３ａが矩形枠状に組まれ、床パネル１３の面材１３ｂがその枠体の一方の面に貼設されている。図５及び図６に図示の壁パネル１１及び壁パネル１５は第一棟１０の外壁１０ａを構成し、図５及び図６に図示の床パネル１３が後述の部屋１０７やバルコニー１０９の床を構成する。
【００２８】
屋根パネル３０の一端面が床パネル１３の端面に当接し、接着剤及び釘打ちによって屋根パネル３０の一端面が床パネル１３の端面に接合されている。更に、第一ボルト１６及び第一ナット１７によって屋根パネル３０の一端面が床パネル１３の端面に締結されている。具体的には、屋根パネル３０の一端面の框材３１と床パネル１３の端面の框材１３ａが互いに突き合わせられ、第一ボルト１６がそれら框材３１，１３ａを貫通し、第一ナット１７が第一ボルト１６に螺合し、框材３１，１３ａが第一ナット１７及び第一ボルト１６によって締結されている。第一ボルト１６及び第一ナット１７によって屋根パネル３０の框材３１が床パネル１３の框材１３ａに締結されているから、屋根パネル３０が第一棟１０に強固に連結される。また、屋根パネル３０及び床パネル１３が片面パネルであるから、第一ボルト１６と第一ナット１７の締結を容易に行うことができる。
なお、第一ナット１７及び第一ボルト１６の数は複数である。
【００２９】
互いに締結された屋根パネル３０の一端部と床パネル１３の端部は梁１２とともに一階の壁パネル１１と二階の壁パネル１５との間に挟持されている。そのため、屋根パネル３０が第一棟１０に強固に連結されている。
【００３０】
第二棟２０の一階の壁パネル２１（第一棟１０側の壁パネル２１）の上端には、梁２２が設けられている。二階の床パネル２３が梁２２の上や一階の他の壁パネルの上に敷き詰められ、床パネル２３の端部及び胴差２４が梁２２の上に配置され、床パネル２３の端部及び胴差２４の上に二階の壁パネル１５が立設されている。壁パネル２１、梁２２、床パネル２３、胴差２４及び壁パネル２５は接着剤等によって接合されている。図５及び図６に図示の壁パネル２１及び壁パネル２５は第二棟２０の外壁２０ａを構成し、図５に図示の床パネル２３が後述のホール２０８の床を構成し、図６に図示の胴差２４が第二棟２０の一階と二階の吹抜部（具体的には、後述の階段室２０２）に面する。床パネル２３も片面パネルであり、床パネル２３の框材２３ａが矩形枠状に組まれ、床パネル２３の面材２３ｂがその枠体の一方の面に貼設されている。
【００３１】
図５に示すように第二棟２０の二階のホール２０８に面する部分において、屋根パネル３０の他端面の框材３１が床パネル２３の端面の框材２３ａに突き合わせられ、接着剤及び釘打ちによって屋根パネル３０の框材３１が床パネル２３の框材２３ａに接合されている。更に、第二ボルト２６が屋根パネル３０の框材３１及び床パネル２３の框材２３ａを貫通し、第二ナット２７が第二ボルト２６に螺合し、框材３１，２３ａが第二ナット２７及び第二ボルト２６によって締結されている。第二ボルト２６及び第二ナット２７によって屋根パネル３０を第二棟２０に強固に連結することができ、屋根パネル３０及び床パネル２３が片面パネルであるゆえ第一ボルト１６と第一ナット１７の締結を容易に行うことができる。
なお、第二ナット２７及び第二ボルト２６の数は複数である。
【００３２】
図６に示すように第二棟２０の一階・二階の吹抜部（階段室２０２）に面する部分において、屋根パネル３０の他端面が胴差２４に当接し、接着剤及び釘打ちによって屋根パネル３０の他端面が胴差２４に接合されている。更に、第三ボルト２８及び第三ナット２９によって屋根パネル３０の他端面が胴差２４に締結されている。具体的には、凹部２４ａが胴差２４にザグリ加工され、第三ボルト２８が凹部２４ａから胴差２４、屋根パネル３０の框材３１及び挿入材２４ｂを貫通し、第三ナット２９が第三ボルト２８に螺合し、屋根パネル３０の框材３１、胴差２４及び挿入材２４ｂが第三ナット２９及び第三ボルト２８によって締結されている。なお、第三ナット２９及び第三ボルト２８の数は複数である。
【００３３】
図５に示すように、互いに締結された屋根パネル３０の他端部と床パネル２３の端部は梁２２とともに一階の壁パネル２１と二階の壁パネル２５との間に挟持されている。更に、互いに締結された屋根パネル３０の他端部と胴差２４は梁２２とともに一階の壁パネル２１と二階の壁パネル２５との間に挟持されている。そのため、屋根パネル３０が第二棟２０に強固に連結されている。
【００３４】
図７は、図４に示すVII−VIIに沿った面を矢印方向へ向かって見て示した断面図である。図７に示すように、第一棟１０と第二棟２０の間には複数本の梁３５が設けられている。これら梁３５が設置される高さは、第一棟１０及び第二棟２０の梁１２，２２が設置される高さである。梁３５の一端が梁１２に接合され、梁３５の他端が梁２２に接合され、これら梁３５，１２，２２が枠組みされている。屋根パネル３０がこれら梁３５，１２，２２の上に設置され、枠３５，１２，２２によって屋根パネル３０が支持される。複数の梁３５のうち手前側の梁３５は屋根パネル３０の正面側の端に沿って設けられ、奥側の梁３５は屋根パネル３０の背面側の端に沿って設けられている。
【００３５】
屋根パネル３０が第一棟１０と第二棟２０の間に架設されているから、屋根パネル３０の下のスペースを様々な用途に使用することができる。屋根パネル３０の下のスペースの用途例について説明する。図８は建物１の正面図であり、図９は建物１の背面図である。図１、図７、図８及び図９に示すように、屋根パネル３０の下側に玄関構造４０が設けられている。玄関構造４０は玄関扉４１、玄関土間４２、玄関ホール４３及びサッシ窓４４から構成される。開閉可能な玄関扉４１が屋根パネル３０の下の手前側に設けられ、玄関扉４１が閉じた状態で正面に向いている。窓ガラス及びサッシ枠等からなるサッシ窓４４が屋根パネル３０の下の奥側に設けられ、閉じた玄関扉４１とサッシ窓４４が相対向する。そのため、玄関扉４１を開けて中に入ると、サッシ窓４４の奥の景色が広がって見え、玄関回りのデザイン性が向上する。また、サッシ窓４４によって玄関の採光性や通気性が高くなっている。なお、サッシ窓４４の代わりに壁が設けられ、閉じた玄関扉４１と壁が相対向してもよい。
【００３６】
屋根パネル３０の正面側の端及び玄関扉４１は第二棟２０の正面よりも少し手前側に配置され、玄関扉４１が第二棟２０の正面から少し奥まった位置にある。
【００３７】
屋根パネル３０、玄関扉４１、サッシ窓４４、第一棟１０の外壁１０ａ及び第二棟２０の外壁２０ａによって包囲された空間が玄関土間４２及び玄関ホール４３である。屋根パネル３０の下方であって玄関扉４１の奥には、玄関土間４２が設けられている。屋根パネル３０の下方であって玄関土間４２の奥には、玄関ホール４３が設けられている。玄関ホール４３の床面は玄関土間４２の床面よりも一段高い位置に配置される。第一棟１０及び第二棟２０の外壁１０ａ，２０ａのうち玄関土間４２及び玄関ホール４３に面する部分は、建物１としては内壁であるが、第一棟１０及び第二棟２０としては外壁である。
【００３８】
図２、図７及び図８に示すように、複数の梁３５のうち正面側の梁３５には、庇４５が連結されている。庇４５は正面側の梁３５から手前側に延出している。屋根パネル３０の上であって屋根パネル３０の前後の端には、パラペット４６，４７がそれぞれ立設されている。屋根パネル３０の上にバルコニーが設けられていてもよい。
【００３９】
図１に示すように、玄関扉４１の前にはポーチ５２が設けられている。ポーチ５２は、第一棟１０の外壁１０ａに沿って設けられている。
【００４０】
また、第一棟１０の奥側であって第二棟２０の横側には、デッキテラス５０が設けられている。また、サッシ窓４４の外側（奥側）には中庭５１が設けられ、その中庭５１がデッキテラス５０によって囲われている。従って、玄関ホール４３からサッシ窓４４越しに中庭５１を見ることができ、玄関回りのデザイン性が向上する。
【００４１】
第一棟１０の一階は、部屋（例えば、工房）１０１、サブキッチン１０２、収納室１０３、便所１０４、クローゼット１０５及びキッチン・ダイニング１０６に区画されている。部屋１０１が一階の手前に配置され、サブキッチン１０２、収納室１０３及びクローゼット１０５が部屋１０１の奥に隣接して配置され、収納室１０３がサブキッチン１０２の横に隣接して配置され、クローゼット１０５が収納室１０３の横に隣接して配置され、便所１０４がクローゼット１０５及び収納室１０３に奥に隣接して配置され、便所１０４がサブキッチン１０２の横に隣接して配置され、キッチン・ダイニング１０６がサブキッチン１０２及び便所１０４の奥に隣接して配置されている。
【００４２】
クローゼット１０５は、玄関土間４２の横に隣接して配置されている。クローゼット１０５の扉１５ａが第一棟１０の外壁１０ａに設けられ、その扉１５ａが玄関土間４２に面している。便所１０４は玄関土間４２及び玄関ホール４３の横に隣接して配置されている。便所１０４の扉１０４ａは第一棟１０の外壁１０ａに設けられ、その扉１０４ａが玄関ホール４３に面している。
【００４３】
キッチン・ダイニング１０６は、玄関ホール４３の横の奥に隣接して配置されている。キッチン・ダイニング１０６の出入口１０６ａが第一棟１０の外壁１０ａに設けられ、その出入口１０６ａが玄関ホール４３に面している。従って、出入口１０６ａを通ってキッチン・ダイニング１０６と玄関ホール４３の間を行き来することができる。
【００４４】
図２に示すように、第一棟１０の二階は、部屋（例えば、ギャラリールーム）１０７及び便所１０８に区画されている。部屋１０７は、部屋１０１、サブキッチン１０２、収納室１０３及びクローゼット１０５の上に配置されている。部屋１０１及び部屋１０７には、直階段型の吹抜け階段１１０が設けられている。吹抜け階段１１０は部屋１０１の床と部屋１０７の床との間に設けられている。便所１０８は部屋１０７の奥の横に隣接して配置され、この便所１０８が便所１０４の上に配置されている。また、部屋１０７の奥側の外であってキッチン・ダイニング１０６の上には、バルコニー１０９が設けられている。
【００４５】
図１に示すように、第二棟２０の一階は、和室２０１、階段室２０２、リビングルーム２０３、寝室２０４、ドレスルーム２０５、バスルーム２０６及び収納室２０７に区画されている。和室２０１及び収納室２０７が一階の手前に配置され、収納室２０７が和室２０１の横に隣接して配置され、階段室２０２が収納室２０７の奥であって和室２０１の横に隣接して配置され、リビングルーム２０３が和室２０１及び階段室２０２の奥に隣接して配置され、寝室２０４がリビングルーム２０３の奥に隣接して配置され、ドレスルーム２０５及びバスルーム２０６が寝室２０４の奥に隣接して配置され、バスルーム２０６がドレスルーム２０５の横に隣接して配置されている。
【００４６】
リビングルーム２０３は、玄関ホール４３の横に隣接して配置されている。リビングルーム２０３の出入口２０３ａが第二棟２０の外壁２０ａに設けられ、その出入口２０３ａが玄関ホール４３に面している。リビングルーム２０３の出入口２０３ａとキッチン・ダイニング１０６の出入口１０６ａは、これらの間に玄関ホール４３を挟んで相対向する。従って、出入口２０３ａを通ってリビングルーム２０３と玄関ホール４３の間を行き来することができる。また、リビングルーム２０３とキッチン・ダイニング１０６のどちらにいても、すぐに来客に応対することができる。
【００４７】
階段室２０２がリビングルーム２０３に通じ、その階段室２０２に階段２０２ａが設けられている。階段２０２ａはリビングルーム２０３の床から踊り場２０２ｃ（図２参照）の床との間に設けられ、その踊り場２０２ｃの下には収納室２０７が設けられ、収納室２０７の扉が和室２０１に設けられている。踊り場２０２ｃの床から二階の床（具体的には、後述のホール２０８の床）まで設けられた階段２０２ｂは、和室２０１の一部の上に設けられている（図１及び図２参照）。
【００４８】
図２に示すように、第二棟２０の二階は、ホール２０８、書斎２０９、吹抜け２１０、寝室２１１、ドレスルーム２１２、バスルーム２１３、インナーバルコニー２１４及び階段室２１５に区画されている。書斎２０９が、階段２０２ｂの横に配置されているとともに、和室２０１の上に配置されている。ホール２０８は階段２０２ｂを登って奥に配置され、吹抜け２１０が書斎２０９の奥側であってホール２０８の横に隣接して配置されている。階段室２１５はホール２０８の奥側であって外壁２０ａ寄りに配置され、階段室２１５とホール２０８が隣接している。ホール２０８、吹抜け２１０及び階段室２１５がリビングルーム２０３の上に配置され、ホール２０８とリビングルーム２０３が吹抜け２１０によって通じている。寝室２１１はホール２０８、吹抜け２１０及び階段室２１５の奥に隣接して配置され、寝室２１１と階段室２１５が通じ、寝室２１１とホール２０８が扉を介して通じている。バスルーム２１３及びドレスルーム２１２は寝室２１１の奥に隣接して配置され、インナーバルコニー２１４がバスルーム２１３及びドレスルーム２１２の奥に隣接して配置されている。
【００４９】
図２及び図３に示すように、第二棟２０の二階には、ロフト２１６が設けられている。ロフト２１６は、書斎２０９、ホール２０８、階段２０２ａ，２０２ｂ及び踊り場２０２ｃの上に設けられている。ロフト２１６は、平面視において第二棟２０の正面及び外壁２０ａに沿ってＬ字型に形作られている。階段室２１５がロフト２１６の端部に隣接して配設され、その階段室２１５に階段２１５ａが設けられている。階段２１５ａは寝室２１１の床とロフト２１６との間に設けられている。
【００５０】
ロフト２１６は吹抜け２１０の上部に隣接して配置されている。ロフト２１６の縁に壁２１７が立設され、壁２１７によって吹抜け２１０及びホール２０８がロフト２１６から仕切られている。壁２１７に通気口２１７ａが設けられ、ホール２０８及び吹抜け２１０とロフト２１６の間で通気することができる。
【００５１】
図１０は、図１〜図３に図示のX−Xに沿った面を矢印方向に見て示した断面図である。図１０に示すように、第二棟２０の屋根は、水平面に対して傾斜した片流れ屋根である。二階の壁パネル２０ｂやロフト２１６の壁２１７等の上端には、水平梁２１８が設けられ、水平梁２１８が第二棟２０の幅方向に延びている。水平梁２１８の端部が、第二棟２０の外壁２０ａを構成する壁パネル２０ｂの上端に連結されている。外壁２０ａを構成する壁パネル２０ｂの上端にパラペット２１９が立設され、パラペット２１９の下部にザグリ２１９ａが形成され、水平梁２１８の端部がザグリ２１９ａに挿入されている。このため、水平梁２１８からロフト２１６の床までの高さを確保することができる。なお、第二棟２０の正面側及び背面側の外壁や、外壁２０ａの反対側面側の外壁の上端にもパラペット２１９が立設されている。
【００５２】
二階の壁パネル２０ｂや水平梁２１８上に断面三角形状の埋木２２０が設けられ、これら埋木２２０によって傾斜面が形成される。そして、屋根パネル２２１が埋木２２０の上に敷き詰められている。
【００５３】
なお、第一棟１０及び第二棟２０が三階以上の複数階建てであってもよい。
【符号の説明】
【００５４】
１  建物
１０  第一棟
１０ａ  第一棟の外壁
１１  一階の壁パネル
１３  二階の床パネル
１３ａ  框材
１３ｂ  面材
１５  二階の壁パネル
１６  第一ボルト
１７  第一ナット
２０  第二棟
２０ａ  第二棟の外壁
２３  二階の床パネル
２３ａ  框材
２３ｂ  面材
２６  第二ボルト
２７  第二ナット
３０  屋根パネル
３１  框材
３２  面材
【図１】
2014020001.tif 000003
【図２】
2014020001.tif 000004
【図３】
2014020001.tif 000005
【図４】
2014020001.tif 000006
【図５】
2014020001.tif 000007
【図６】
2014020001.tif 000008
【図７】
2014020001.tif 000009
【図８】
2014020001.tif 000010
【図９】
2014020001.tif 000011
【図１０】
2014020001.tif 000012